(57)【要約】  【課題】銘板ラベルの表示情報である文字や図形情報の褪色を防止すること、またラベル基材の劣化防止を確実に、かつ簡単に耐久性に優れた銘板ラベルを提供すること。  【解決手段】表面に情報表示部２０を有するラベル基材４の裏面に粘着剤層６を形成する上層ラベル２３と、透明性基材５の裏面に剥離可能な透明性を有する弱粘着剤層７を有した下層ラベル２４とを、互いの粘着面を貼り合わせたので剥離後、確実に下層ラベル２４を保護フィルムとして上層ラベル２３の情報表示可能な印字面に積層可能である。【選択図】図１
2010008944.tif 000002
【特許請求の範囲】
【請求項１】
製品又は部品に貼り付けられ、製品情報の情報表示可能な台紙のない銘板ラベルであって、
表面に情報表示部を有するラベル基材の裏面に粘着剤層を形成する上層ラベルと、透明基材の裏面に剥離可能な透明性を有した弱粘着剤層を有する下層ラベルとを、互いの粘着面を貼り合わせたことを特徴とする銘板ラベル。
【請求項２】
前記上層ラベルは、複数の上層ラベル片より連接され、前記上層ラベル片同士は、ミシン目により区分けされ、前記下層ラベルは、複数の下層ラベル片より連接され、前記下層ラベル片同士は、スリット線により区分けされ、前記ミシン目と、前記スリット線は重合するように形成されていることを特徴とする請求項１記載の銘板ラベル。
【請求項３】
前記上層ラベル片と、前記下層ラベル片とは、略同一の面積を有することを特徴とする請求項２記載の銘板ラベル。
【請求項４】
前記上層ラベル片は、位置検出に用いられる検出マークを有し、前記下層ラベル片には、前記検出マークと略同一形状である重ね合せマークを有していることを特徴とする請求項２記載の銘板ラベル。
【発明の詳細な説明】
【技術分野】
【０００１】
本発明は銘板ラベルにかかるもので、とくに製品又は部品に貼り付けられる台紙のない銘板ラベルに関するものである。
【背景技術】
【０００２】
製品及び部品に貼り付けられるラベルでラベルの中に印刷または印字により社名ロゴ、製品個体識別番号(シリアルＮＯ.）、規格が情報として盛り込まれるラベルは、法律上表示が義務付けられている安全マークなどを印刷したラベルなどが銘板ラベルと言われている。このように銘板ラベルとは製品の品質保証を印刷する極めて重要なラベルであり、主な被着体としては、携帯電話、電子機器、電子機器部品、半導体部品、家電製品、自動車部品、生産設備などがある。銘板ラベルはラベルでありながら部品として扱われるもので、その特性よりユーザーから高い品質や耐久性が求められる。
【０００３】
従来の銘板ラベルについて、長期間使用される銘板ラベルの材質はポリエチレンテレフタレート（ＰＥＴ）等の樹脂をベースとしたものが主流であり、樹脂製品は一般に紫外線の影響により文字や図形情報が褪色し、ラベル材質自体の老化、劣化してしまう問題があった。
【０００４】
また、銘板ラベルの老化、劣化の防止策として、銘板ラベルの表面を覆うように保護用フィルムを積層することで耐久性向上は図られるが各基材（銘板ラベルと保護用フィルム）を別々に用意しなければならず、面倒であり、補充も手間であった。
【０００５】
【特許文献１】特開２０００−２６７５７２号公報
【発明の開示】
【発明が解決しようとする課題】
【０００６】
本発明は以上のような諸問題にかんがみなされたもので、銘板ラベルの表示情報である文字や図形情報の褪色を防止すること、またラベル基材の劣化防止を確実に、かつ簡単に耐久性に優れた銘板ラベルを提供することを課題とする。
【課題を解決するための手段】
【０００７】
すなわち本発明は、銘板ラベルとして、上層ラベルと下層ラベルを一組として利用することを好適とし、一方の上層ラベルに情報表示部を有し、他方の下層ラベルを保護フィルムの役割として構成することに着目したもので、製品又は部品に貼り付けられ、製品情報の情報表示可能な銘板ラベルであって、表面に情報表示部を有するラベル基材の裏面に粘着剤層を形成する上層ラベルと、透明基材の裏面に剥離可能な透明性を有した弱粘着剤層を有する下層ラベルと、を互いの粘着面を貼り合わせたことを特徴とする銘板ラベルである。
【０００８】
上記上層ラベルは、複数の上層ラベル片より連接され、前記上層ラベル片同士は、ミシン目により区分けされ、前記下層ラベルは、複数の下層ラベル片より連接され、前記下層ラベル片同士は、スリット線により区分けされ、前記ミシン目と、前記スリット線は重合するように形成されていることを特徴とする。
【０００９】
前記上層ラベル片と、前記下層ラベル片とは、略同一の面積を有することを特徴とする。
【００１０】
前記上層ラベル片は、位置検出に用いられる検出マークを有し、前記下層ラベル片には、前記検出マークと略同一形状である重ね合せマークを有していることを特徴とする。
【発明の効果】
【００１１】
本発明による銘板ラベルにおいては、表面に情報表示部を有するラベル基材の裏面に粘着剤層を形成する上層ラベルと、透明性を有するラベル基材の裏面に剥離可能な透明性を有する弱粘着剤層を有する下層ラベルとを、互いの粘着面を貼り合わせたので剥離後、確実に下層ラベルを保護フィルムとして上層ラベルの情報表示可能な印字面に積層可能であり、銘板ラベルの老化、劣化の防止策が容易に可能である。
【発明を実施するための最良の形態】
【００１２】
以下添付図面に従って本発明にかかわる銘板ラベルの好ましい実施の形態について詳説する。
【００１３】
まず本発明の実施例による銘板ラベル１を図１および図２にもとづき説明する。
図１は、銘板ラベル１の断面図、図２（ａ）は、上層ラベル２３の表面平面図、図２（ｂ）は、下層ラベル２４の表面平面図であって、銘板ラベル１は、表面に情報表示部２０を有するラベル基材４を有し、また、その裏面に粘着剤層６を有する上層ラベル２３と、この粘着剤層６に対向するように、下層ラベル２４が位置している。下層ラベル２４の表面は、保護カバー部２１を有する透明基材５と、その裏面に弱粘着剤層７を有し、互いの粘着面を貼り合わせることで、台紙（剥離紙）を未使用としている。
【００１４】
すなわち、本発明の銘版ラベル１は、粘着剤層６、弱粘着剤層７が露出しないので台紙が必要なく、つづら折りに折り畳んだ構成のファンフォールド仕様（図示せず）にしたときに剥離層が表面に接着されないための剥離層を表面に形成する必要もない。
【００１５】
上層ラベル２３および下層ラベル２４は、任意の形状たとえば、共に矩形状である。上層ラベル２３は、複数の上層ラベル片２より構成され、上層ラベル片２同士は、ミシン目１０により区分けされ、粘着剤層６まで貫通している。下層ラベル２４は、複数の下層ラベル片３より構成され、下層ラベル片３同士は、スリット線１１（カット線）により区分けされ、弱粘着剤層７まで貫通している。このスリット線１１と上記ミシン目１０とは、重合するような位置としている。
【００１６】
このスリット線１１とミシン目１０とが重合する位置に有ることで、上層ラベル片２と下層ラベル片３とが一対として手動カット又はカッターユニット（図示せず）などによりカットされ、上層ラベル片２と下層ラベル片３とを互いの粘着剤層６より剥がし、上層ラベル片２は被着体ＭＡに貼着し、下層ラベル片３は上層ラベル片２上に重ね合わせて貼着することが可能となる。つまり上層ラベル片２と下層ラベル片３とは、各ラベル自体の役目が異なるラベル同士を貼り合わせたものである。
【００１７】
また、上層ラベル片２と、下層ラベル片３とは、略同一の面積を有するものである。
【００１８】
ラベル基材４には、ポリエステル樹脂、ポリエチレン樹脂、ポリプロピレン樹脂等のフィルムや、ネーマ、合成紙等の二次加工フィルム、上質紙、コート紙、厚紙、含浸紙等の紙素材のもの、あるいは金属箔等、一般にラベルとして用いられる任意基材を用いることができる。透明基材５は、可視光線透過率が高い耐候性および耐久性を備えたフィルムや二次加工フィルムを用いると好適である。
【００１９】
上層ラベル２３や下層ラベル２４などで利用する粘着剤層６や弱粘着剤層７などは、例えばエマルジョン系、ソルベント系、ホットメルト系のように任意の粘着剤が使用可能であると共に、素材も、アクリル系、ゴム系など任意であるが、互いに非ブロッキング性を有する粘着剤層６、弱粘着剤層７同士の組み合わせとしては、ゴム系粘着剤とアクリル系粘着剤の組み合わせ、又は側鎖にカルボキシル基を有するアクリル樹脂をイソシアネートで部分架橋したアクリル系粘着剤と側鎖に水酸基を有するアクリル樹脂をメラミン樹脂で部分架橋したアクリル系粘着剤との組み合わせが好適である。
【００２０】
上層ラベル片２の情報表示部２０は、製品及び部品などの製造元の社名ロゴ、製品個体識別番号(シリアルＮＯ.）、安全規格マーク等が情報として印刷またはラベルプリンタ（図示せず）での印字が可能である。また、下層ラベル片３の保護カバー部２１は、透明性を有し印刷、印字共に可能である。上層ラベル片２には、ラベルプリンタなどでラベル位置を検出するための単一の位置検出マーク８が墨色で印刷されている。印刷される位置は上層ラベル片２の周端部である。下層ラベル片３にも同様な単一の重ね合せマーク９が下層ラベル片３の周端部に印刷され、互いに略同一形状である。この重ね合せマーク９は、上層ラベル片２の表面に下層ラベル片３の弱粘着剤層７を対向させるように、保護カバーとして重ね合わせる時の目印として利用可能である。
【００２１】
したがって、位置検出マーク８は、ラベル位置を検出するための役割と、上層ラベル片２と、下層ラベル片３と、を貼り合わせする際の目印としての役割をも有する。さらに、重ね合せマーク９は、同様に印刷することでも可能であるが、ラベルプリンタによる印字でも可能である。
【００２２】
次に銘板ラベル１の貼り付け方法について図３にもとづき説明する。
図３−（ａ）には、ラベルプリンタ（図示せず）などで、情報表示部２０に印字した印字層２２を有している。印字層２２には、社名ロゴ、製品個体識別番号(シリアルＮＯ.）、規格などの情報が表示されている。
【００２３】
図３−（ａ）より上層ラベル片２と、下層ラベル片３とを、互いの粘着剤層より剥がし分離後、下層ラベル片３の弱粘着剤層７と、上層ラベル片２のラベル基材４の表面とを、貼り合せて積層する。積層する際、上層ラベル片２の位置検出マーク８と、透明基材５を有する下層ラベル片３の重ね合せマーク９と、を目印として、各マークが重合するように貼り合わせることで容易に可能である。
【００２４】
図３−（ｂ）により、上層ラベル片２のラベル基材４上に下層ラベル片３が積層された状態、つまり透明基材５、弱粘着剤層７、ラベル基材４、粘着剤層６と、を順に積層された状態で被着体ＭＡに貼着することで、耐久性を備える銘板ラベルが可能である。
【００２５】
また本発明は、銘板ラベル１として、上層ラベル２３と下層ラベル２４を一組として利用するため、一方のラベルだけ不足したり、残ったりすることがなく無駄がない。
【００２６】
なお、本発明が上記実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【図面の簡単な説明】
【００２７】
【図１】本発明の実施例による銘板ラベル１の側面図である。
【図２】同、（ａ）は、銘板ラベル１の上層ラベル２３の平面図であり、（ｂ）は、銘板ラベル１の下層ラベル２４の平面図である。
【図３】同、（ａ）は、上層ラベル片２および下層ラベル片３を分離して示した側面図である。（ｂ）は、上層ラベル片２のラベル基材４上に下層ラベル片３が積層された状態で被着体ＭＡに貼り付けられる様子を示す側面図である。
【符号の説明】
【００２８】
１  銘板ラベル
２  上層ラベル片
３  下層ラベル片
４  ラベル基材
５  透明基材
６  粘着剤層
７  弱粘着剤層
８  位置検出マーク
９  重ね合せマーク
１０  ミシン目
１１  スリット（カット線）
２０  情報表示部
２１  保護カバー部
２２  印字層
２３  上層ラベル
２４  下層ラベル
ＭＡ  被着体
【図１】
2010008944.tif 000003
【図２】
2010008944.tif 000004
【図３】
2010008944.tif 000005